(57)【要約】  患者アセスメント支援装置は、患者についての既知支援情報の記録が無いと判定された場合に、前記患者の看護に関する質問情報に基づいて推定した推定支援情報を出力する出力部を備える。
2020004556.tif 000002
【特許請求の範囲】
【請求項１】
患者についての既知支援情報の記録が無いと判定された場合に、前記患者の看護に関する質問情報に基づいて推定した推定支援情報を出力する出力部と、
を備える患者アセスメント支援装置。
【請求項２】
前記患者を識別するための患者識別情報と前記質問情報とを取得する取得部と、
前記患者識別情報に基づいて前記患者を識別し、前記識別された患者についての既知支援情報の有無を判定する判定部と、
前記識別された患者についての既知支援情報が無いと判定された場合に、前記推定支援情報を生成する生成部と、
をさらに備える請求項１に記載の患者アセスメント支援装置。
【請求項３】
前記既知支援情報は、前記患者識別情報に紐づけて記憶された情報であり、前記患者の生体に関する患者生体情報、前記患者に関する医師の指示を示す医師指示情報、および前記患者に関する診療録を示す診療録情報の少なくとも一つ含み、
前記出力部は、前記既知支援情報が有ると判定された場合に、前記患者生体情報、前記医師指示情報、および前記診療録情報の少なくとも一つを出力する
請求項１または請求項２に記載の患者アセスメント支援装置。
【請求項４】
前記出力部は、前記既知支援情報が無いと判定された場合に、前記質問情報に対応する前記推定支援情報を支援情報生成モデルに基づいて推定し、前記推定支援情報を出力する
請求項１から請求項３の何れか一項に記載の患者アセスメント支援装置。
【請求項５】
前記質問情報に対応する推定支援情報を生成する支援情報生成モデルの学習データを生成する学習部と、
をさらに備える請求項１から請求項４の何れか一項に記載の患者アセスメント支援装置。
【請求項６】
患者についての既知支援情報の記録が無いと判定された場合に、前記患者の看護に関する質問情報に基づいて推定した推定支援情報を出力する
ことを含む患者アセスメント支援方法。
【請求項７】
コンピュータに、
患者についての既知支援情報の記録が無いと判定された場合に、前記患者の看護に関する質問情報に基づいて推定した推定支援情報を出力する
ことを実行させるプログラムを記憶した記録媒体。
【発明の詳細な説明】
【技術分野】
【０００１】
本発明は、患者アセスメント支援装置、患者アセスメント支援方法、記録媒体に関する。
【背景技術】
【０００２】
看護師の業務は病棟業務のほぼ全てを網羅する。病院業務全体の最適化に向け、看護師の業務を最適化することは不可欠である。そのような最適化を行うにあたり、患者アセスメントは看護師の業務効率にとって一番重要なポイントと言える。ただし、現状では患者アセスメントに関して看護師の従業年数や経験によって個人差が大きくある。特に、若手看護師は、経験不足のため、患者アセスメントに関する業務効率が悪く、業務ミスにつながる恐れもある。なお患者アセスメントとは患者の状態の評価、査定を意味する。【０００３】
関連する技術として特許文献１には患者の看護の連携を支援することのできる技術が開示されている。例えば特許文献１の段落０１０６には「報告表示処理部４０５は、患者状態情報画面の選択により、分岐処理を実行する・・・報告表示処理部４０５は、“報告詳細”が選択された場合に、処理をステップＳ２０９に進める。」と記載されている。また特許文献１の段落０１０７には「報告表示処理部４０５は、図１１に示すような、各分類項目の観察結果情報の詳細を、利用者端末２０に表示させる」と記載されている。また特許文献１の図１１には患者観察情報の報告詳細の表示画面が記載されている。【０００４】
また特許文献２には、化学療法を受けるために来院した患者の状態に基づいて患者のランクを仮判定することで待ち時間を少なくし、さらに症例報告書（ＣＲＦ）の信頼性を向上させる医療支援システムの技術が開示されている。
【先行技術文献】
【特許文献】
【０００５】
【特許文献１】日本国特開２０１６−２１２９２５号公報
【特許文献２】日本国特開２０１５−１７０１５９号公報
【発明の概要】
【発明が解決しようとする課題】
【０００６】
患者アセスメントに関する看護師の経験が多くない状況においても、患者に対する適切な看護を迅速に支援することのできる技術が望まれている。【０００７】
この発明の目的の一例は、上述の課題を解決することのできる患者アセスメント支援装置、患者アセスメント支援方法、記録媒体を提供することである。
【課題を解決するための手段】
【０００８】
本発明の第１の態様によれば、患者アセスメント支援装置は、患者についての既知支援情報の記録が無いと判定された場合に、前記患者の看護に関する質問情報に基づいて推定した推定支援情報を出力する出力部を備える。【０００９】
発明の第２の態様によれば、患者アセスメント支援方法は、患者についての既知支援情報の記録が無いと判定された場合に、前記患者の看護に関する質問情報に基づいて推定した推定支援情報を出力することを含む。【００１０】
本発明の第３の態様によれば、記録媒体は、コンピュータに、患者についての既知支援情報の記録が無いと判定された場合に、前記患者の看護に関する質問情報に基づいて推定した推定支援情報を出力することを実行させる。
【発明の効果】
【００１１】
本発明の実施形態によれば、患者アセスメントに関する看護師の経験が多くない状況においても、患者に対する適切な看護を迅速に支援することができる。
【図面の簡単な説明】
【００１２】
【図１】第一の実施形態による患者アセスメント支援システムの構成を示すブロック図である。
【図２】図１に示す患者アセスメント支援装置のハードウェア構成図である。
【図３】図１に示す患者アセスメント支援装置の機能ブロック図である。
【図４】図１に示す患者アセスメント支援装置の処理フローを示す第一の図である。
【図５】図１に示す患者アセスメント支援装置の処理フローを示す第二の図である。
【図６】図１に示す患者アセスメント支援装置の記録情報の例を示す第一の図である。
【図７】図１に示す患者アセスメント支援装置の記録情報の例を示す第二の図である。
【図８】第２の実施形態に係る患者アセスメント支援装置の構成を示す図である。
【発明を実施するための形態】
【００１３】
以下、本発明の実施形態による患者アセスメント支援装置を図面を参照して説明する。
図１は第一の実施形態による患者アセスメント支援システムの構成を示すブロック図である。図１で示すように患者アセスメント支援システム１００は、少なくとも患者アセスメント支援装置１とデータベース２とを含む。
【００１４】
患者アセスメント支援装置１とデータベース２とは通信接続される。データベース２には看護師や医師等による患者の看護を支援するための情報が記録される。患者アセスメント支援装置１はデータベース２に記録される情報に基づいて推定支援情報を生成する。患者アセスメント支援装置１には携帯端末３等の出力先となる装置が通信接続される。患者アセスメント支援装置１は既知支援情報や推定支援情報を携帯端末３へ出力する。携帯端末３は看護師や医師が利用する。看護師や医師は携帯端末３以外の出力先の装置を携えていてもよい。そして患者アセスメント支援装置１はそのような携帯端末３以外の装置に既知支援情報や推定支援情報を出力するようにしてもよい。既知支援情報とは、患者の支援に関する既知の情報（既にデータベースなどに記録されている情報）あってもよい。推定支援情報とは、患者の支援に関する推定された情報であってもよい。
【００１５】
図２は患者アセスメント支援装置１のハードウェア構成図である。
患者アセスメント支援装置１はコンピュータであり、図２で示すようにＣＰＵ（Central Processing Unit）１０１、ＲＯＭ（Read Only Memory）１０２、ＲＡＭ（Random Access Memory）１０３、ＨＤＤ（Hard Disk Drive）１０４、インタフェース１０５、通信モジュール１０６等のハードウェアを備える。患者アセスメント支援装置１は図２に示すようなコンピュータ単体で構成されてもよいし、複数のコンピュータが通信接続されて構成されるようにしてもよい。
【００１６】
図３は患者アセスメント支援装置１と携帯端末３の機能ブロック図である。
患者アセスメント支援装置１は起動時に自装置（患者アセスメント支援装置１）が記憶する患者アセスメント支援プログラムを実行する。これにより患者アセスメント支援装置１は、制御部１０、学習部１１、患者情報取得部（取得部）１２、取得情報解析部１３、既知支援情報有無判定部（判定部）１４、記録情報抽出部１５、支援情報生成部（生成部）１６、支援情報出力部（出力部）１７の各機能を実行可能になる。
【００１７】
制御部１０は、患者アセスメント支援装置１を制御する。
学習部１１は、データベースに記録されている情報等を用いて支援情報生成モデルの学習データを生成する。
患者情報取得部１２は、患者を識別するための患者識別情報と患者に対する質問情報とを取得する。
取得情報解析部１３は、質問情報を解析する。
【００１８】
既知支援情報有無判定部１４は、患者識別情報に基づいてその患者についての既知支援情報の有無を判定する。
記録情報抽出部１５は、既知支援情報または推定支援情報に用いられる情報をデータベース２から抽出する。
支援情報生成部１６は、既知支援情報が無いと判定された場合に患者情報に含まれる質問情報に基づいて推定支援情報を生成する。
支援情報出力部１７は、既知支援情報または推定支援情報を、患者情報を送信した所定の携帯端末３へ出力する。
【００１９】
このような構成により、患者アセスメント支援装置１は、患者アセスメントに関する看護師の経験が多くない状況においても、看護師等の携帯端末３に既知支援情報または推定支援情報を出力し、患者に対する適切な看護を支援する。
【００２０】
携帯端末３には、患者支援アプリケーションプログラムが起動されることにより、患者支援部３１が備わる。
【００２１】
図４は患者アセスメント支援装置１の処理フローを示す第一の図である。
まず患者アセスメント支援装置１が学習データを生成する処理について説明する。
患者アセスメント支援装置１の学習部１１は、予め予想される質問情報の入力を受け付けて、その質問情報に対応する支援情報を生成するため支援情報生成モデルの学習データを生成する。具体的には学習部１１は質問情報の入力を受け付ける（ステップＳ１０１）。例えば医師や看護師等の利用者が携帯端末３等を用いて質問情報を患者アセスメント支援装置１へ送信し、その質問情報を患者アセスメント支援装置１の学習部１１が受け付けてよい。
【００２２】
学習部１１は質問情報を形態素解析し１つまたは複数の単語を抽出する（ステップＳ１０２）。学習部１１はそれら単語を含む医師助言情報、診療録情報（カルテ情報）、看護師一般知識、看護師経験情報、等をデータベース２から抽出する（ステップＳ１０３）。学習部１１は医師助言情報、診療録情報、看護師一般知識、看護師経験情報、等に含まれる項目のうち、対処情報（処置アクション）、投薬情報（薬種別、投薬量）、などの既知支援情報を抽出する（ステップＳ１０４）。学習部１１はそれら抽出した対処情報や投薬情報などの既知支援情報を携帯端末３へ送信する（ステップＳ１０５）。
【００２３】
携帯端末３を利用する医師や看護師等は、質問情報の送信に応じて患者アセスメント支援装置１から受信した対処情報や投薬情報についての、質問情報に対する回答の正当性を判定する。医師や看護師等は携帯端末３に回答の正当性判定結果（正解、誤り）を入力する。
【００２４】
患者アセスメント支援装置１は携帯端末３からの正当性判定結果を受信する（ステップＳ１０６）。学習部１１は正当性判定結果の受信に基づいて、質問情報の示す単語に対応する対処情報や投薬情報の正解、誤りを検知する（ステップＳ１０７）。学習部１１は質問情報に対応して抽出した対処情報や投薬情報のうち、正解とされた対処情報や投薬情報に基づいて、質問情報と対処情報や投薬情報の関係を判定する（ステップＳ１０８）。学習部１１は学習処理を終了するかを判定する（ステップＳ１０９）。学習部１１は様々な質問情報の入力と、対処情報や投薬情報の抽出と、それに対応する正当性判定結果の入力の繰り返しが十分でない場合には学習処理を終了しない。学習部１１は様々な質問情報の入力と、対処情報や投薬情報の抽出と、抽出された情報に対応する正当性判定結果の入力を繰り返し、質問情報に対応する正当性の高い対処情報や投薬情報を特定する。
【００２５】
そして学習部１１は質問情報に対して正当性の高い対処情報や投薬情報を抽出するための支援情報生成モデルを機械学習の手法を用いて生成する（ステップＳ１１０）。学習部１１は支援情報生成モデルを構成するための学習データ等をデータベース２に記録する（ステップＳ１１１）。学習部１１はデータベース２に記録される生体情報、医師助言情報、診療録情報が増加したタイミングで、支援情報生成モデルを再生成してもよい。
【００２６】
なお学習部１１は他の手法により、質問情報に対する対処情報や投薬情報を特定するための支援情報生成モデルを生成してよい。例えば、質問情報には患者の状態等を含む生体情報が含まれていてよい。学習部１１はそのような質問情報を用いて、対応する対処情報や投薬情報を抽出し、その正当性の結果の入力を看護師等から受けて支援情報生成モデルを生成してよい。生体情報とは、体温、心拍数、その他の生体や状態の情報である。
【００２７】
図５は患者アセスメント支援装置１の処理フローを示す第二の図である。
支援情報生成モデルを生成した患者アセスメント支援装置１は、実際の患者のアセスメント（評価、査定）に対応する支援を行うことができる。具体的には、看護師等は実際に患者の看護を行う際に、患者の症例が自身の知識が足りない症例である場合や、診療録等の資料をナースステーション等に戻って確認することが出来ない状況などにおいて患者アセスメント支援装置１を利用する。看護師などは携帯端末３に記録されている患者支援アプリケーションプログラムを起動させる。これにより携帯端末３は患者支援部３１の機能が実行可能になる。
【００２８】
患者支援部３１は患者識別情報と質問情報とを入力するよう指示する画面を携帯端末３のモニタに表示する。また患者支援部３１は携帯端末３に設けられたマイクを起動する。携帯端末３を利用する看護師等は、携帯端末３のマイクに向けて患者ＩＤ、氏名、ベッド番号、部屋番号などの患者識別情報のうちの少なくとも一つと、質問情報とを発話する。質問情報は、患者の状態を示す情報（体温、心拍数、その他の状態を示す情報）を含んでいてもよい。マイクは患者識別情報と質問情報とを含む音声情報を患者アセスメント支援装置１へ送信する。患者アセスメント支援装置１の患者情報取得部１２は受信した音声情報を取得する（ステップＳ２０１）。患者情報取得部１２は音声情報を取得情報解析部１３へ出力する。
【００２９】
取得情報解析部１３は音声情報を取得して音声解析を行い、音声情報を文字情報に変換する（ステップＳ２０２）。取得情報解析部１３は音声情報に対応する文字情報の文字列を解析して、それら文字情報を、患者識別情報と、質問情報とに分類する（ステップＳ２０３）。なお取得情報解析部１３は文字情報を形態素解析して患者識別情報と、質問情報の単語を抽出するようにしてもよい。取得情報解析部１３は患者識別情報と、質問情報とを含む分類後の患者情報を生成する（ステップＳ２０４）。取得情報解析部１３が行う音声解析、文字情報の文字列解析、患者識別情報と質問情報との分類、形態素解析、などの手法は公知の技術を用いてよい。取得情報解析部１３は、患者情報のうち患者識別情報（患者ＩＤ、氏名、別途番号、部屋番号のうちの少なくとも一つ）を既知支援情報有無判定部１４へ出力する。
【００３０】
既知支援情報有無判定部１４は患者識別情報を取得すると、その患者識別情報に紐づく医師助言情報が有るか否かを判定する（ステップＳ２０５）。医師助言情報は例えば患者の状態に応じて処方すべき薬種別、投薬量、処置アクションなどを含む情報である。既知支援情報有無判定部１４は医師助言情報がデータベース２に記録されている場合には、患者識別情報を記録情報抽出部１５へ出力する。記録情報抽出部１５は患者識別情報に紐づく医師助言情報をデータベース２から読み取る（ステップＳ２０６）。記録情報抽出部１５は医師助言情報を含む既知支援情報を支援情報出力部１７へ出力する。支援情報出力部１７は医師助言情報を含む既知支援情報を携帯端末３へ送信する（ステップＳ２０７）。
【００３１】
携帯端末３の患者支援部３１は既知支援情報をモニタに出力する。携帯端末３の患者支援部３１は既知支援情報が文字列をスピーカから音声により出力するようにしてもよい。これにより看護師等の携帯端末３のユーザは既知支援情報の示す医師助言情報のうち、投薬種別、投薬量、処置アクションなどを確認して、医師の示す適切な処置を施すことができる。
【００３２】
ステップＳ２０５において既知支援情報である医師助言情報が無いと判定した場合、既知支援情報有無判定部１４は支援情報生成部１６へ推定支援情報の生成を指示する。支援情報生成部１６は取得情報解析部１３から質問情報を取得する。支援情報生成部１６は質問情報が示す単語を特定する（ステップＳ２０８）。質問情報が示す単語は、例えば、患者の疾患名、患者の状態（体温、心拍数、血圧、疾患の度数、その他状態を示す情報）などを示す単語である。
【００３３】
支援情報生成部１６は質問情報が示す単語を支援情報生成モデルに入力する（ステップＳ２０９）。支援情報生成モデルは畳み込みニューラルネットワークなどを応用したモデルであり、質問情報が示す一つまたは複数の単語に応じた投薬情報（薬種別、投薬量）や対処情報（処置アクション）を出力する。支援情報生成部１６は支援情報生成モデルに単語を入力して得た投薬情報、対処情報を、推定支援情報と特定する（ステップＳ２１０）。支援情報生成部１６は投薬情報と対処情報とを含む推定支援情報を支援情報出力部１７へ出力する。支援情報出力部１７は推定支援情報を携帯端末３へ送信する（ステップＳ２１１）。携帯端末３の患者支援部３１は推定支援情報をモニタに出力する。または携帯端末３の患者支援部３１は推定支援情報を示す文字列をスピーカから音声により出力するようにしてもよい。
【００３４】
以上の処理によれば患者アセスメント支援装置１に携帯端末３を接続させて利用する看護師等のユーザは、患者に関する質問情報に応じた既知支援情報または推定支援情報を取得て、その支援情報に基づく看護処置の行動を行うことができる。
【００３５】
また上述の処理によれば、特定の患者に関する医師助言情報等の既知の支援情報がデータベース２に格納されていない場合にも、支援情報生成モデルによって、スキルの高い看護師の看護処置アクションを認識することができる。これにより本システムを利用する看護師等のユーザは正しい看護処置を迅速におこなうことができる。その理由は、本システムは、一般知識及び複数のベテラン看護師等の過去の経験（看護師一般知識、看護師経験情報）、患者個別の情報を学習し、看護処置現場で患者の状況を判断し、対応するアクションを提示できるためである。
【００３６】
次に、具体的な実施例を用いて本発明を実施するための形態の動作を説明する。
図６は患者アセスメント支援装置１の記録情報の例を示す第一の図である。
図６に示すように、患者によって薬投与の条件及び投与量がそれぞれ異なる。看護師はこのような情報を、看護師が持つ携帯端末３で受信し確認することができる。従って、例えば看護師等のユーザがナースステーションに戻らなくても看護処置現場にてリアルタイムで医師の指示や他のベテラン看護師の看護処置アクションの情報を迅速に確認することができる。
【００３７】
なお患者アセスメント支援装置１の患者情報取得部１２や取得情報解析部１３は、携帯端末３から受信した音声情報や音声情報の解析結果をデータベースに記録するようにしてもよい。これにより、患者アセスメント支援装置１は看護師が看護作業時に行った処置の状況を記録しておくことができる。
【００３８】
図７は患者アセスメント支援装置１の記録情報の例を示す第二の図である。
患者アセスメント支援装置１は上述の処理において、特定の患者に関する処置アクションを記録しておくことができる（図７）。例えば上述の処理において患者アセスメント支援装置１の取得情報解析部１３は音声情報を解析して文字情報に変換し、その文字情報に含まれる患者識別情報とその他の情報を、また音声情報の受信時刻を紐づけてデータベース２に記録する。例えば図４に示すように、患者Ａについて、看護師は１１時１２分に発熱を検知し、ロキソニン（薬の名前）６０ｍｇを１錠内服させたことが記録される。
【００３９】
患者アセスメント支援装置１の支援情報生成部１６は、過去の患者に関する音声情報等に基づく記録に基づいて、過去の看護処置アクションを学習してもよい。この場合、支援情報生成部１６は、患者Ａについての発熱と投薬完了の情報が新たに記録された場合に、その後の処置アクションを自動生成して支援情報として出力してもよい。例えば支援情報生成部１６は、患者Ａに対してロキソニン内服１時間後の１２時１２分に、体温と血圧の確認が必要と判断し、体温と血圧の測定を促す看護処置アクションの情報を含む推定支援情報を生成する。支援情報出力部１７はその推定支援情報を携帯端末３に送信するようにしてもよい。これにより看護師は患者Ａに対して体温と血圧の測定が必要であることを認識する。また看護師は携帯端末３を用いて患者Ａの体温と血圧の測定が完了したことを音声により入力する。この結果、取得情報解析部１３は上述の処理と同様に患者Ａに対して体温と血圧の測定が終了したことを示す情報を記録する。支援情報生成部１６は新たに情報が記録された後に、再度支援情報を生成する。例えば支援情報生成部１６は過去の患者Ａの記録から、「異常なし」と判断して、その情報を示す推定支援情報を生成してもよい。看護師は携帯端末３に表示される「異状なし」を確認することができる。
【００４０】
図８は第２の実施形態に係る患者アセスメント支援装置１の構成を示す図である。
支援情報出力部（出力部）１７は、取得した患者識別情報に基づいて患者についての既知支援情報の記録が無いと判定された場合に、入力した質問情報に基づいて推定した推定支援情報を出力する。
【００４１】
上述の各装置は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータがそのプログラムを実行するようにしても良い。
【００４２】
また、上記プログラムは、前述した機能の一部を実現するためのものであっても良い。さらに、上記プログラムは、前述した機能をコンピュータシステムにすでに記録されているプログラムとの組み合わせで実現できるもの、いわゆる差分ファイル（差分プログラム）であっても良い。
【００４３】
この出願は、２０１８年６月２９日に出願された日本国特願２０１８−１２４４７８を基礎とする優先権を主張し、その開示の全てをここに取り込む。
【産業上の利用可能性】
【００４４】
本発明は、患者アセスメント支援装置、患者アセスメント支援方法、記録媒体に適用してもよい。
【符号の説明】
【００４５】
１・・・患者アセスメント支援装置
２・・・データベース
３・・・携帯端末
１０・・・制御部
１１・・・学習部
１２・・・患者情報取得部（取得部）
１３・・・取得情報解析部
１４・・・既知支援情報有無判定部（判定部）
１５・・・記録情報抽出部
１６・・・支援情報生成部（生成部）
１７・・・支援情報出力部（出力部）
３１・・・患者支援部
【図１】
2020004556.tif 000003
【図２】
2020004556.tif 000004
【図３】
2020004556.tif 000005
【図４】
2020004556.tif 000006
【図５】
2020004556.tif 000007
【図６】
2020004556.tif 000008
【図７】
2020004556.tif 000009
【図８】
2020004556.tif 000010
【国際調査報告】
2020004556.tif 000011
2020004556.tif 000012